(57)【要約】【課題】蒸気を帯びた熱気の発生を人手を掛けずに全て自動的に、且つ、安全に行うことができると共に、熱気を発生させる作動工程に遊び心と話題性及びセレモニー効果を持たせて、サウナ入浴を退屈なものにしないように工夫したサウナ風呂用蒸気熱発生装置と、この装置に用いる散水器具を提供する。【解決手段】サウナ室ＳＲ内に設置したサウナストーブ２０の真上に散水器具１を設ける。散水器具１には、底面に散水穴８Ａを設けた散水用の水受容器体８と、散水によって加熱されたサウナストーンＳＴから立ち昇って滞留する蒸気を帯びた熱気を、かき回して対流させるファン１２を設ける。【選択図】      図１
2004267491.tif 000002
【特許請求の範囲】
【請求項１】
サウナ入浴に適した蒸気を帯びた熱気を発生させることができるサウナ風呂用蒸気熱発生装置であって、
上面部に積載したサウナストーンを加熱して放射熱と対流熱を発生させるサウナストーブと、サウナストーブの上側部に設けた散水器具とから成り、この散水器具には、上記サウナストーブによって加熱されたサウナストーンに向けて水を定期的に、又は、ランダムに散水せしめる散水手段と、散水によってサウナストーンから立ち昇って滞留する加熱された蒸気及び熱気を、かき回して周囲に送り出すことができるファンを設けたことを特徴とするサウナ風呂用蒸気熱発生装置。
【請求項２】
前記ファンの作動を、前記散水手段による散水を終えた後に、若干の時間をおいて行うように構成したことを特徴とする請求項１に記載したサウナ風呂用蒸気熱発生装置。
【請求項３】
サウナ入浴に適した蒸気を帯びた熱気を発生させることができるサウナ風呂用蒸気熱発生装置に用いる散水器具であって、
底面に多数の散水穴を設けた水受容器体と、この水受容器体に水を給水する給水手段と、上記水受容器体の上側部に設けられていて、内外を開放した状態に造ったファン室の内部で回転するファンとによって構成すると共に、上記ファンの回転によって吸引作用が及ぶ上記ファン室の下側の開放口を、加熱された蒸気及び熱気の吸引口と成し、上記ファンの回転による排気作用が及ぶ上記ファン室の上側の開放口を、上記吸引口から吸込んだ加熱された蒸気及び熱気を外方に送出する排気口と成したことを特徴とするサウナ風呂用蒸気熱発生装置に用いる散水器具。
【請求項４】
サウナ室の天井等側に取り付けることができる機筐の底面側に、複数本の支柱を多角形状又は円形状に並べて垂設し、これ等各支柱の下端部には底面に多数の散水穴を設けた水受容器体を取付けて、上記機筐と複数本の支柱及び水受容器体によって囲まれた空間を、モータによって回転されるファンを備えたファン室とすると共に、上記各支柱の外側面には、ファン室の外側の一部又は全周に渡って全体を略ひさし状に形成した複数枚のガイド板を、上下に間隔をあけ、且つ、上記ファン室を中心にして水平方向に対して若干下方に傾斜した状態に取付けて、上記ファンよりも下側に位置する上記各ガイド板の上下間隔を、加熱された蒸気及び熱気の吸引口と成し、上記ファンよりも上側に位置する上記各ガイド板の上下間隔を、上記吸引口から吸込んだ加熱された蒸気及び熱気の排出口と成したことを特徴とする請求項３に記載のサウナ風呂用蒸気熱発生装置に用いる散水器具。
【請求項５】
前記ファン室を囲む周囲の開放口に、前記吸引口及び排出口を自在に開閉したり、角度を自在に調整できるように構成した多数枚の風向調整板を並設したことを特徴とする請求項３又は４に記載のサウナ風呂用蒸気熱発生装置に用いる散水器具。
【請求項６】
前記水受容器体の底面に複数のランプを多角形状又は円形状に設けて、これ等のランプを点灯又は点滅自在に構成したことを特徴とする請求項３、４又は５に記載のサウナ風呂用蒸気熱発生装置に用いる散水器具。
【発明の詳細な説明】
【０００１】
【発明の属する技術分野】
本発明は、サウナ入浴に適した蒸気を帯びた熱気を発生させることができると共に、蒸気及び熱気の発生に演出効果を持たせたサウナ風呂用蒸気熱発生装置と、この装置に用いる散水器具に関するものである。
【０００２】
【従来の技術】
従来の一般的なサウナ用ヒータ装置（サウナ用ストーブ）は、例えば特許文献１に見られるように、放熱管又はヒータの上に多数のサウナストーンを積載して、放熱管又はヒータによって加熱されたサウナストーンに手桶等で水を掛けることによって、蒸気を帯びた高温の熱気を発生させるように構成されている。
【０００３】
また、ヨーロッパ等では、サウナマイスターと呼ばれている専門の係員が、上記サウナストーンに水を掛けたり、サウナストーブから発生する蒸気を帯びた熱気をタオルを振り回してサウナ室内の全域に行き渡らせたり、或は、蒸気と熱気を含んだタオルを入浴客に掛けて熱気を直接体中に伝えたりして、サウナ入浴の効能と効果を高めると共に、サウナ入浴に変化を与えるように工夫している。
【０００４】
【特許文献１】
特開平１１−２２１２６５号公報
【０００５】
【発明が解決しようとする課題】
以上述べたようにサウナ入浴は熱気を直接体中に伝えて、血行促進、ストレスや疲労の回復、全身美容といった優れた効能と効果を発揮することができるのであるが、反面、８０〜９０℃の高温に熱せられたサウナ室の中に、比較的長い時間身体を晒して座り続ける必要があるため、退屈で忍耐と辛抱強さが要求される。従って、上記サウナストーンに手桶で水を掛けたりする行為や、サウナマイスター等によるパフォーマンスは、我慢と退屈の気持ちをある程度は解消することができる。
【０００６】
しかし、入浴者自身が高温に加熱されたサウナストーンに手桶等で直接水を掛けることは、火傷等の不測の事故が発生する危険があり、また、サウナマイスターのような専門の係員を配属させることは、入浴の安全性が確保できると共に、サウナマイスターによる各種パフォーマンスが楽しめてサウナ入浴を退屈なものにしない利点はあるが、人件費等の経費が嵩んで入浴料に影響を及ぼす問題があり、更に、現在日本にはサウナマイスターのようなサウナ入浴に精通した知識を必要とする職業自体が存在しないため、一般的なサウナ利用者は、パフォーマンスを楽しむこともなく専ら入浴後の発汗による壮快感をよりどころにして、退屈な入浴を続けているのである。
【０００７】
そこで本発明の技術的課題は、蒸気を帯びた熱気の発生を人手を掛けずに全て自動的に、且つ、安全に行うことができると共に、熱気を発生させる作動工程に遊び心と話題性及びセレモニー効果を持たせて、サウナ入浴を退屈なものにしないように工夫したサウナ風呂用蒸気熱発生装置と、この装置に用いる散水器具を提供することである。
【０００８】
【課題を解決するための手段】
上記の技術的課題を解決するために本発明で講じた手段は以下の如くである。
【０００９】
（１）  本発明に係るサウナ風呂用蒸気熱発生装置は、前記請求項１に記載の如く、サウナ入浴に適した蒸気を帯びた熱気を発生させることができるサウナ風呂用蒸気熱発生装置であって、上面部に積載したサウナストーンを加熱して放射熱と対流熱を発生させるサウナストーブと、サウナストーブの上側部に設けた散水器具とから成り、この散水器具には、上記サウナストーブによって加熱されたサウナストーンに向けて水を定期的に、又は、ランダムに散水せしめる散水手段と、散水によってサウナストーンから立ち昇って滞留する加熱された蒸気及び熱気を、かき回して周囲に送り出すことができるファンを設けたことを特徴とするものである。
【００１０】
（２）  また、本発明に係るサウナ風呂用蒸気熱発生装置は、前記請求項２に記載の如く、前記ファンの作動を、前記散水手段による散水を終えた後に、若干の時間をおいて行うように構成したことを特徴とするものである。
【００１１】
（３）  更に本発明に係るサウナ風呂用蒸気熱発生装置に用いる散水器具は、前記請求項３に記載の如く、サウナ入浴に適した蒸気を帯びた熱気を発生させることができるサウナ風呂用蒸気熱発生装置に用いる散水器具であって、底面に多数の散水穴を設けた水受容器体と、この水受容器体に水を給水する給水手段と、上記水受容器体の上側部に設けられていて、内外を開放した状態に造ったファン室の内部で回転するファンとによって構成すると共に、上記ファンの回転によって吸引作用が及ぶ上記ファン室の下側の開放口を、加熱された蒸気及び熱気の吸引口と成し、上記ファンの回転による排気作用が及ぶ上記ファン室の上側の開放口を、上記吸引口から吸込んだ加熱された蒸気及び熱気を外方に送出する排気口と成したことを特徴とするものである。
【００１２】
（４）  また、本発明に係るサウナ風呂用蒸気熱発生装置に用いる散水器具は、前記請求項４に記載の如く、サウナ室の天井等側に取り付けることができる機筐の底面側に、複数本の支柱を多角形状又は円形状に並べて垂設し、これ等各支柱の下端部には底面に多数の散水穴を設けた水受容器体を取付けて、上記機筐と複数本の支柱及び水受容器体によって囲まれた空間を、モータによって回転されるファンを備えたファン室とすると共に、上記各支柱の外側面には、ファン室の外側の一部又は全周に渡って全体を略ひさし状に形成した複数枚のガイド板を、上下に間隔をあけ、且つ、上記ファン室を中心にして水平方向に対して若干下方に傾斜した状態に取付けて、上記ファンよりも下側に位置する上記各ガイド板の上下間隔を、加熱された蒸気及び熱気の吸引口と成し、上記ファンよりも上側に位置する上記各ガイド板の上下間隔を、上記吸引口から吸込んだ加熱された蒸気及び熱気の排出口と成したことを特徴とする。
【００１３】
（５）  また、本発明に係るサウナ風呂用蒸気熱発生装置に用いる散水器具は、前記請求項５に記載の如く、前記ファン室を囲む周囲の開放口に、前記吸引口及び排出口を自在に開閉したり、角度を自在に調整できるように構成した多数枚の風向調整板を並設したことを特徴とするものである。
【００１４】
（６）  また、本発明に係るサウナ風呂用蒸気熱発生装置に用いる散水器具は、前記請求項６に記載の如く、前記水受容器体の底面に複数のランプを多角形状又は円形状に設けて、これ等のランプを点灯又は点滅自在に構成したことを特徴とするものである。
【００１５】
上記（１）〜（６）の各手段から成る本発明のサウナ風呂用蒸気熱発生装置及びこの装置に用いる散水器具によれば、サウナストーンがサウナストーブによって加熱された状態で、このサウナストーブに向けて上側の散水器具から水をシャワー状に散水すると、シューシューと音を発しながら加熱された蒸気を帯びた熱気が立ち昇ってサウナ室の天井部分に滞留する。次いで、若干の時間をおいてファンを回転すると、この蒸気を帯びた熱気がかき回わされて、ファンの送風効果によって熱気が次第にサウナ室の下側に流れるため、入浴者は蒸気を帯びた熱気を全身に受けて、気持ちのよい刺激が体中に伝わることになる。
【００１６】
また、上記本発明を広いサウナ室の中央部にセットして、例えば、散水に際して室内の照明を暗く調整したり、水受容器体の底面に設けた複数のランプをランダムに点灯及び点滅させたり、或は、順番に点灯及び点滅させたりすることにより、複数の入浴者に蒸気を帯びた熱気を体感させながら、サウナ入浴の醍醐味を目と耳でも楽しませることができるものであって、この一連したセレモニーを例えば５分間に３回程度繰返す演出効果を取り入れることによって、新しい形態のサウナ入浴を楽しむことができ、サウナを退屈なものにしない効果を発揮することが可能となる。
【００１７】
【発明の実施の形態】
以下に、上述した本発明に係るサウナ風呂用蒸気熱発生装置及びこの装置に用いる散水器具の実施の形態を図面と共に説明すると、図１は本発明の設置例を示した構成図であって、図中、ＳＲはサウナ室、ＢＮは入浴用のベンチ、２０はヒータを備えたサウナストーブ、ＳＴはサウナストーブ２０の受皿２１に積載したサウナストーン、３０は防護柵で、サウナストーンＳＴはサウナストーブ２０によって高温に加熱される仕組に成っている。
【００１８】
また、符号１で全体的に示したのは本発明に係る散水器具で、この散水器具１は前記サウナストーブ２０の真上に位置するようにサウナ室ＳＲの天井部ＳＲａに取付けられているが、この組付けはサウナストーブ２０の真上に組み上げた櫓や棚等であってもよく、その選択は任意であり、更に、サウナ室ＳＲの形状や大きさも任意である。
【００１９】
次に、上記散水器具１の構成を上述した図１と、図２に示した正面図、図３に示した平断面図、図４に示した分解図、及び、図５に示した底面図の記載に基づいて説明すると、１Ａは固定ボルト１３…によって上記サウナ室ＳＲの天井部ＳＲａや櫓、棚等に吊下げ状態に固定した機筐、１Ｔはこの機筐１Ａの下側部に一体に取り付けた底板、１Ｂ…は底板１Ｔの底面側に多角形状又は円形状に配列して垂設した支柱、１Ｃ…は各支柱１Ｂ…の下端部に連設した底面を開放したボックス体で、これ等各ボックス体１Ｃの内部には、図６に示した拡大断面図に示すように反射板を兼ねる取付板１４Ｘを介して照明用のランプ１４が下向きに設けられている。
【００２０】
また、６は化粧リング体、８はこの化粧リング体６に一体形成した水受容器体で、底面には図５に示すように多数の散水穴８Ａ…が設けられている。化粧リング体６の外側部には前述した各支柱１Ｂ…のボックス体１Ｃの位置に合せて嵌込穴６Ａ…が形成されていて、これ等各嵌込穴６Ａ…に各ボックス体１Ｃを嵌込んで、周面にネジを切った各ボックス体１Ｃの下端部を図６に示すように各嵌込穴６Ａの下側に突出し、次いで、同図の如く内側にネジを切った各締付キャップ体７を、下方から上記突出した各ボックス体１Ｃの下端部にネジ込んで締付けることによって、上記の水受容器体８を上記各支柱１Ｂ…の下端部に固定できる仕組に成っている。従って、上記の各締付キャップ体７…を取外せば、化粧リング体６及び水受容器体８を自由に取外すことができるため、水受容器体８や、以下に述べるフアン室内部の清掃や修理、或は、ランプの交換と言った各種のメンテナンスを簡単に行うことができる。
【００２１】
以上の如く構成した締付キャップ体７には、図４並びに図６に示すように夫々照明用の穴７Ａが穿設されていて、これ等各穴７Ａ…の内側部分には色ガラス１５…が取付けられている。従って、これ等色ガラス１５…の色を変えたり、各ランプ１４の点灯時間や点灯の順番、或は、点滅の順番等をプログラム制御することによって、水受容器体８の底面側から下方に向けて趣好性の高い照明作用を発揮することが可能となる。尚、図６に於いて６Ｂは水抜き用の切り込みを示す。
【００２２】
図２と図３において、１Ｈは周囲を複数本（図面では６本）の支柱１Ｂ…によって囲まれ、上下を機筐１Ａの底板１Ｔと水受容器体８によって囲まれたファン室、１２はこのファン室１Ｈ内で回転するファン、１１は機筐１Ａの底板１Ｔの上に取付けたモータ、１１Ｓはファン室１Ｈ内に挿入したモータ１１の回転軸で、この回転軸１１Ｓの下端部に上記のファン１２が取付けられている。９…は上記ファン室１Ｈの周囲の開放口、具体的には、各支柱１Ｂ…の間隔部分に多数並設した風向調整板で、各風向調整板９…はその上下を夫々前記機筐１Ａの底板１Ｔの底面と、前記各ボックス体１Ｃ…の間に架設した支持板１Ｃ′…（図３参照）との間に、夫々角度調節自在に取付けられていて、ファン１２による風向きを角度調整したり、或は、これを閉じて、ファン１２の吸引と排気を風向き調整板９が開いている部分に集中するように調整することも可能である。
【００２３】
更に図中、２，３，４，５は上記ファン室１Ｈの周囲全面に取付けた計４枚のガイド板であって、これ等の各ガイド板２〜５は上下に間隔をあけ、且つ、水平よりも若干下方に傾斜させた状態で、各支柱１Ｂ…の外側面に固定されている。２Ａ，３Ａ，４Ａは上記計４枚のガイド板２〜５の間隔で、図面では上記ファン１２の位置より上方の上段の間隔２Ａが排気口と成り、ファン１２は下方の中段及び下段の各間隔３Ａ，４Ａが、吸引口に成っている。
【００２４】
また、図２乃至図４に於いて、１０は機筐１Ａの底板１Ｔに設けた穴１Ｔａを貫いて、下端部を前記水受容器体８内に臨ませた給水パイプで、本発明による散水のセレモニーが開始されると、電磁弁（図示省略）が開いて水を水受容器体８に給水して、底面に開口した散水穴８Ａ…から下側のサウナストーブ２０に向かって散水（シャワー）することができる。
【００２５】
図７は、本発明で用いるサウナストーブ２０の一例を示したものであって、図中、２２，２２は受皿２１に積載したサウナストーンＳＴ…を均一に加熱するために、左右相対的に設けたストーブ用ヒータ、２２Ｔ，２２Ｔはターミナルボックス、２３，２３は排水口であって、Ｗ…は上側の散水器具１から散水されて来る水で、ＭＳ…は水Ｗの散水によってサウナストーンＳＴから発生して上方に立ち昇る加熱された蒸気及び熱気、即ち、サウナ入浴に適した蒸気を帯びた熱気を示す。
【００２６】
本発明に係るサウナ風呂用蒸気熱発生装置及びこの装置に用いる散水器具は以上述べた如き構成であるから、図１に示すようにサウナ室ＳＲの天井部ＳＲａに散水器具１をサウナストーブ２０の真上に位置するように取付けて、サウナストーンＳＴ（例えばフインランド産の香化石等）を加熱しながら上側より水Ｗを散水すれば、サウナストーンＳＴによって加熱されて発生した蒸気と熱気ＭＳがシューシューと音を発しながら立ち昇って、天井部ＳＲａに滞留することになる。その後、若干の時間（５〜１０秒）をおいてファン１２を回転すれば、上記蒸気を帯びた熱気ＭＳが吸引口３Ａ，４Ａからファン室１Ｈに吸引され、次いで、排気口２Ａから排気される状態、要するに、天井部ＳＲａに滞留していた蒸気を帯びた熱気ＭＳをかき回す状態にし、且つ、ガイド板２，３の傾斜によって下方に沈降する状態に対流させるため、周囲に集まった入浴者に気持ちのよい刺激を与えることができる。
【００２７】
また、上記水Ｗの散水に当って、各ランプ１４…を点灯、又は点滅して、図１で符号ＬＲに示すように水Ｗと立ち昇る熱気ＭＳを上方から各種の色で照明するため、更にセレモニー効果を高めることができる。
【００２８】
尚、通常は上記の一連したセレモニーを例えば５分間隔で３回程度繰返す。また、１回のセレモニーの時間は３分〜５分程度で、先ずランプ１４…が点灯、又は点滅して、セレモニーの開始を入浴者に知らせ、次いで、水Ｗを５〜１０秒間散水し、その後、ファン１２を回転する手順を全てプログラム制御（シーケンス制御）によって自動的に行って、１回のセレモニーが終了する。
【００２９】
【発明の効果】
以上述べた次第で、本発明に係るサウナ風呂用蒸気熱発生装置及びこの装置に用いる散水器具によれば、焼けたサウナストーンに水を掛けることにより、サウナ入浴に適した蒸気を帯びた熱気とマイナスイオンを発生させる工程を、全てセレモニー化して自動的に、且つ、安全に行うことができるものであって、サウナ入浴に遊び心と話題性を持たせると共に、体感とビジュアルと音を満足させる充分な演出効果を備えていて、サウナ入浴を退屈なものにしない画期的な特徴を備えている。
【図面の簡単な説明】
【図１】本発明に係るサウナ風呂用蒸気熱発生装置の実施例を示した構成図。
【図２】本発明に係る散水器具の一部断面正面図。
【図３】図２のＸ−Ｘ線に沿った断面図。
【図４】本発明に係る散水器具の分解図。
【図５】本発明に係る散水器具の底面図。
【図６】ランプを収めたボックス体部分の拡大断面図。
【図７】サウナストーブの一例を示した構成図。
【符号の説明】
ＳＲ            サウナ室
１              散水器具
１Ａ            機筐
１Ｂ            支柱
１Ｈ            ファン室
２，３，４，５            ガイド板
２Ａ，３Ａ，４Ａ          間隔
８              水受容器体
８Ａ            散水穴
９              風向き調整板
１０            給水パイプ
１２            ファン
１４            ランプ
２０            サウナストーブ
ＳＴ            サウナストーン
Ｗ              水
【図１】
2004267491.tif 000003
【図２】
2004267491.tif 000004
【図３】
2004267491.tif 000005
【図４】
2004267491.tif 000006
【図５】
2004267491.tif 000007
【図６】
2004267491.tif 000008
【図７】
2004267491.tif 000009